(57)【要約】【課題】単純な構造を有し、血管への針穿刺作業が容易であり、かつ穿刺の際の血管の逃げを確実に抑制することが可能である穿刺補助具を、提供する。【解決手段】指９０が挿入される指サック１２と、針が穿刺される血管８２を表皮側から押圧するための押圧部１４とを有する。押圧部１４は、指サック１２の外周に配置されかつ血管８２を挟持可能に離間して配置される複数の突出部１８を有する。【選択図】図１
2011156053.tif 000002
【特許請求の範囲】
【請求項１】
指が挿入される指サックと、
針が穿刺される血管を表皮側から押圧するための押圧部とを有し、
前記押圧部は、前記指サックの外周に配置され、かつ前記血管を挟持可能に離間して配置される複数の突出部を有することを特徴とする穿刺補助具。
【請求項２】
前記突出部は、対向するように位置決めされた１対の突起部材からなることを特徴とする謂求項１に記載の穿刺補助具。
【請求項３】
前記突起部材は、前記指サックの軸と略直角に交差する方向に延長していることを特徴とする請求項２に記載の穿刺補助具。
【請求項４】
前記突起部材の対向面は、傾斜しており、
前記突起部材の間に形成される隙間空間は、前記指サックの外周面に向かってテーパ形状を呈していることを特徴とする請求項２又は請求項３に記載の穿刺補助具。
【請求項５】
前記押圧部は、前記指サックの外周に位置し、かつ前記突出部が配置される基部を有し、
前記突出部および前記基部は、人体組織より硬い物性を有する材料から形成されることを特徴とする請求項１〜４のいずれか１項に記載の穿刺補助具。
【請求項６】
前記指サックは、前記血管を触診可能な触診部を有することを特徴とする請求項１〜５のいずれか１項に記載の穿刺補助具。
【請求項７】
前記触診部は、前記血管を触診可能とする柔軟な物性を有する材料から前記指サックの一部若しくは全体を形成することによって、構成されることを特徴とする請求項６に記載の穿刺補助具。
【請求項８】
前記触診部は、前記指サックに形成される開口部によって構成されることを特徴とする請求項６に記載の穿刺補助具。
【請求項９】
前記開口部は、前記指サックの外周に設けられ、前記指サックの軸に関して前記押圧部と略９０度異なる位置に配置されることを特徴とする請求項８に記載の穿刺補助具。
【発明の詳細な説明】
【技術分野】
【０００１】
本発明は、血管への針穿刺を補助する穿刺補助具に関する。
【背景技術】
【０００２】
医療現場においては、採血、注射、輸液、カテーテルの挿入や留置のため、血管への針の穿刺は極めて頻繁に行われており、針が穿刺される方向が血管の走行方向と一致していることが必要である。しかし、例えば、患者の血管壁が堅かったり、血管周囲の組織が良好な状態でない場合、血管走行方向に対し左右に血管が逃げてしまい、穿刺がうまくいかないことがしばしば発生する。このような場合、再三の穿刺が試みられるため、患者の痛み（肉体的苦痛）が増大し、また、穿刺位置に余分な損傷を与える問題を有する。そのため、血管への針穿刺を容易にする穿刺補助具が各種提案されている（例えば、特許文献１および特許文献２参照。）。
【先行技術文献】
【特許文献】
【０００３】
【特許文献１】実用新案登録第３１１２６３８号公報
【特許文献２】特開２００３−７９７２４号公報
【発明の概要】
【発明が解決しようとする課題】
【０００４】
しかし、特許文献１に係る穿刺補助具は、部品点数が多くかつ複雑な形状をしており、製造コストの低減が困難であり、また、作業性に問題を有している。特許文献２に係る穿刺補助具は、単純な構造を有するが、血管を確実に押圧することが困難であり、血管の逃げを抑制することが容易ではない問題を有している。
【０００５】
本発明は、上記従来技術に伴う課題を解決するためになされたものであり、単純な構造を有し、血管への針穿刺作業が容易であり、かつ穿刺の際の血管の逃げを確実に抑制することが可能である穿刺補助具を、提供することを目的とする。
【課題を解決するための手段】
【０００６】
上記目的を達成するための本発明の穿刺補助具は、指が挿入される指サックと、針が穿刺される血管を表皮側から押圧するための押圧部とを有し、前記押圧部は、前記指サックの外周に配置され、かつ前記血管を挟持可能に離間して配置される複数の突出部を有することを特徴とする。
【発明の効果】
【０００７】
本発明によれば、穿刺補助具は、指サックと突出部を有する押圧部とから構成されており、構造が単純である。また、穿刺補助具には指サックが組み込まれているため、医療従事者は、指サックに指を挿入することで穿刺補助具を容易に操作することが可能である。また、針が穿刺される血管は、穿刺補助具の突出部によって挟持されるため、血管走行方向に対し左右に血管が逃げることを確実に抑制することが可能である。つまり、単純な構造を有し、血管への針穿刺作業が容易であり、かつ穿刺の際の血管の逃げを確実に抑制することが可能である穿刺補助具を、提供することができる。
【０００８】
前記突出部を、対向するように位置決めされた１対の突起部材から構成する場合、穿刺補助具の構造を単純化することが可能である。
【０００９】
前記突起部材を、前記指サックの軸と略直角に交差する方向に延長させる場合、指サックに挿入される指の軸は、指サックの軸と一致するため、突起部材の延長方向と略直角に交差することになる。したがって、穿刺補助具によって血管を押圧する際、医療従事者は、指サックに挿入された指の位置を調整し、突起部材の延長方向を、血管の走行方向と一致させることを、容易に実施することが可能である。
【００１０】
前記突起部材の対向面が傾斜しており、前記突起部材の間に形成される隙間空間が、前記指サックの外周面に向かってテーパ形状を呈している場合、その間口が広いため、突起部材によって表皮を押圧する際、皮下に位置する血管を、突起部材の対向面に沿って指サックの外周面に向かって誘導することが容易であり、作業性を向上させることが可能である。
【００１１】
前記押圧部が、前記指サックの外周に位置し、かつ前記突出部が配置される基部を有し、前記突出部および前記基部が、人体組織より硬い物性を有する材料から形成される場合、血管を容易かつ確実に固定（保持）することが可能である。
【００１２】
前記指サックが、前記血管を触診可能な触診部を有する場合、穿刺補助具を装着している指によって、前記血管の位置を触知することも同時にできるため、作業性を向上させることが可能である。
【００１３】
前記触診部を、前記血管を触診可能とする柔軟な物性を有する材料から前記指サックの一部若しくは全体を形成することによって、構成する場合、穿刺補助具を装着している指によって、人体組織に直接接触することなく触診を実施することが可能である。
【００１４】
前記触診部を、前記指サックに形成される開口部によって構成する場合、前記指サックの構成を簡略することが可能である。
【００１５】
前記開口部を、前記指サックの外周に設け、前記指サックの軸に関して前記押圧部と略９０度異なる位置に配置する場合、血管の位置の触知後、指サックを単に回転させることにより、穿刺補助具の押圧部（突出部）によって血管が挟持されるため、作業性を向上させることが可能である。
【図面の簡単な説明】
【００１６】
【図１】実施の形態１に係る穿刺補助具を説明するための側面図である。
【図２】図１に示される穿刺補助具の底面図である。
【図３】図１に示される穿刺補助具の正面図である。
【図４】図１に示される穿刺補助具の使用態様の一例を説明するための斜視図である。
【図５】実施の形態１に係る変形例１を説明するための底面図である。
【図６】実施の形態１に係る変形例２を説明するための断面図である。
【図７】実施の形態１に係る変形例３を説明するための断面図である。
【図８】実施の形態１に係る変形例４を説明するための断面図である。
【図９】実施の形態１に係る変形例５を説明するための断面図である。
【図１０】実施の形態２に係る穿刺補助具を説明するための側面図である。
【図１１】図１０に示される穿刺補助具の底面図である。
【図１２】図１０に示される穿刺補助具の使用態様の一例を説明するための平面図である。
【図１３】図１０に示される穿刺補助具の使用態様の一例を説明するための正面図である。
【図１４】実施の形態３に係る穿刺補助具を説明するための側面図である。
【発明を実施するための形態】
【００１７】
以下、本発明の実施の形態を、図面を参照しつつ説明する。
【００１８】
図１は、実施の形態１に係る穿刺補助具を説明するための側面図、図２は、図１に示される穿刺補助具の底面図、図３は、図１に示される穿刺補助具の正面図である。
【００１９】
実施の形態１に係る穿刺補助具１０は、注射器の注射針による患者の前腕８０の皮下に位置する血管８２への穿刺を補助するために使用され、医療従事者の中指９０が挿入される指サック１２と、針が穿刺される血管８２を表皮側から押圧するための押圧部１４とを有する。押圧部１４は、指サック１２の外周に位置する基部１６と、基部１６に配置されかつ血管８２を挟持可能に離間して配置される複数の突出部１８を有する。血管８２は、例えば、採血、注射、輸液等に利用される静脈である。なお、基部１６は、指サック１２の外周に一体化されている。
【００２０】
穿刺補助具１０は、上記のように、指サック１２と突出部１８を有する押圧部１４とから構成されており、構造が単純である。また、穿刺補助具１０には指サック１２が組み込まれているため、医療従事者は、指サック１２に中指９０を挿入することで穿刺補助具１０を容易に操作することが可能である。
【００２１】
また、患者の前腕８０の皮下に位置して針が穿刺される血管８２は、穿刺補助具１０の突出部１８によって挟持されるため、血管走行方向Ｄに対し左右に血管が逃げることを確実に抑制することが可能である。したがって、針の穿刺が失敗し、再三の穿刺が試みられことによる問題、例えば、医療従事者の負担増や、痛み（肉体的苦痛）の増大や穿刺位置に対する余分な損傷等の患者の負担増を、避けることができる。
【００２２】
突出部１８は、実施の形態１においては、対向するように位置決めされた１対の三角形状（山状）の突起部材から構成されており、穿刺補助具１０の構造をより単純化することが可能である。
【００２３】
突起部材（突出部）１８は、略同一平面上に位置し、指サック１２の軸Ｘと略直角に交差する方向Ｙに延長している。したがって、指サック１２に挿入される中指９０の軸は、指サック１２の軸Ｘと一致するため、突起部材１８の延長方向Ｙと略直角に交差することになる。したがって、穿刺補助具１０によって血管８２を押圧する際、医療従事者は、指サック１２に挿入された中指９０の位置を調整し、突起部材１８の延長方向Ｙを、血管の走行方向Ｄと一致させることを、容易に実施することが可能である。
【００２４】
突起部材１８の対向面１９は、傾斜しており、突起部材１８の間に形成される隙間空間Ｓは、指サック１２の外周面に向かってテーパ形状（谷形状）を呈している。したがって、隙間空間Ｓの間口が広いため、突起部材１８によって患者の前腕８０の表皮を押圧する際、皮下に位置する血管８２を、突起部材１８の対向面１９に沿って指サック１２の外周面に向かって誘導することが容易であり、作業性を向上させることが可能である。なお、隙間空間Ｓの先端の間口は、血管８２の外径よりやや広くなっていることが好ましい。
【００２５】
突起部材１８および基部１６は、人体組織より硬い物性を有する材料により構成されることが好ましく、これにより、血管８２を容易かつ確実に固定（保持）することが可能である。人体組織より硬い物性を有する材料は、例えば、ポリエチレン、ポリプロピレン、ポリ塩化ビニル等の熱可塑性樹脂である。部品点数を削減し、製造コストを低減する観点から、指サック１２、突起部材１８および基部１６を、同一の材料から構成し、一体成形することも可能である。
【００２６】
図４は、図１に示される穿刺補助具の使用態様の一例を説明するための斜視図である。
【００２７】
まず、医療従事者は、穿刺補助具１０の指サック１２に左手の中指９０を挿入する。この際、中指９０の腹部を、突出部１８と位置合せする。そして、指サック１２に挿入された中指９０に隣接する左手の人差し指９２を患者の前腕８０の皮膚表面（表皮）に置き、人差し指９２の腹部により、皮下に位置する血管８２の有無による差異を触知する。血管の位置の触知は、例えば、血管が動脈である場合、脈拍を触診することによって実施される。
【００２８】
次に、医療従事者は、左手の中指９０が挿入された穿刺補助具１０を移動させ、触知した血管８２の走行方向Ｄと、突起部材１８の延長方向Ｙとが一致し、かつ、突起部材１８の間に形成される隙間空間の中心が、触知した血管８２の真上になるように、穿刺補助具１０の突起部材１８を位置決めする。この際、突起部材１８は、指サック１２の軸Ｘと略直角に交差する方向Ｙに延長しており（図２参照）、かつ、指サック１２に挿入される中指９０の軸は、指サック１２の軸Ｘと一致するため、突起部材１８の延長方向Ｙを、血管の走行方向Ｄと一致させることが容易である。
【００２９】
そして、左手の中指９０を患者の前腕８０の皮膚表面に向かって移動させることにより、突起部材１８によって患者の前腕８０の皮膚表面を押圧する。これにより、皮下に位置する血管８２は、突出部１８によって挟持されることになる。この際、突起部材１８の間に形成される隙間空間は、指サック１２の外周面に向かってテーパ形状を呈し、その間口が広いため、血管８２は、突起部材１８の対向面に沿って指サック１２の外周面に向かって容易に誘導される。
【００３０】
その後、医療従事者は、左手に注射器を把持し、注射器の注射針７０によって突起部材１８の近傍の皮膚表面を穿刺する。この際、指サック１２の軸Ｘは、指サック１２に中指９０を挿入している医療従事者の体幹の正面と略直角に交差している。つまり、医療従事者は、血管８２の走行方向Ｄに対して略直角に交差する方向に位置しているため、左手の中指９０が挿入された穿刺補助具１０によって押圧されている血管８２の走行方向Ｄと、右手によって挟持される注射器の注射針７０による針穿刺の方向とを一致させることが容易である。
【００３１】
また、血管８２は突出部１８によって挟持されているため、血管走行方向Ｄに対し左右に血管が逃げることが確実に抑制される。
【００３２】
また、突出部１８および基部は、人体組織より硬い物性を有する材料から形成されるため、血管８２は、容易かつ確実に固定される。なお、穿刺補助具１０には指サック１２が組み込まれているため、穿刺補助具１０の操作は、容易である。
【００３３】
図５は、実施の形態１に係る変形例１を説明するための底面図である。
【００３４】
穿刺補助具１０は、単一の指サック１２および押圧部１４を有する形態に限定されず、指サック１２および押圧部１４の複数セットを有することも可能である。例えば、図５に示されるように、並置して連結された指サック１２を有する場合、血管の広範囲を押圧部１４の突起部材１８によって押圧（挟持）することができる。
【００３５】
図６〜９は、実施の形態１に係る変形例２〜５を説明するための断面図である。
【００３６】
穿刺補助具１０の突起部材（突出部）１８は、血管を挟持可能な突出形状であれば、三角形状に限定されず、例えば、台形形状（図６）、矩形形状（図７）、円形状（図８）、楕円形状（図９）などの種々の形状を適用することが可能である。また、突起部材（突出部）１８は、延長方向Ｙの長さを短く構成し、延長方向Ｙに沿って間欠的に複数配置することも可能である。また、一対の突起部材１８は、延長方向Ｙに沿って並行であるものには限定されず、例えば、一端側は一対の突起部材１８が接近し、他端側（血管８２の走行方向Ｄに向かって）は一対の突起部材１８が離間するように配置することも可能である。
【００３７】
以上のように、実施の形態１においては、単純な構造を有し、血管への針穿刺作業が容易であり、かつ穿刺の際の血管の逃げを確実に抑制することが可能である穿刺補助具を、提供することができる。
【００３８】
なお、穿刺補助具は、カテーテルを挿入する際の針の穿刺に適用することも可能である。また、穿刺補助具は、使用に際して血液の接触が容易に起こり得るので、ディスポーザブル製品とし、感染を確実に回避することも好ましい。さらに、指サック、突起部材および基部を、別体とし、例えば、接着剤による接着や熱融着によって一体化することも可能である。
【００３９】
次に、実施の形態２を説明する。
【００４０】
図１０は、実施の形態２に係る穿刺補助具を説明するための側面図、図１１は、図１０に示される穿刺補助具の底面図である。
【００４１】
実施の形態２は、針が穿刺される血管を触診可能な触診部を有する点で、実施の形態１と概して異なる。詳述すると、実施の形態２に係る穿刺補助具２０は、別体からなる指サック２２および押圧部２４を有する。指サック２２は、人体組織より柔軟な物性（針が穿刺される血管を触診可能とする柔軟な物性）を有する材料により構成される触診部である。押圧部２４は、人体組織より硬い物性を有する材料により構成される。人体組織より柔軟な物性を有する材料は、例えば、天然ゴム、ポリエチレン、ポリ塩化ビニルである。
【００４２】
指サック２２は、上記のように、人体組織より柔軟な物性を有する材料から形成されるため、指を挿入した指サック２２によって表皮を触って押圧することにより、皮下に位置する血管の有無による差異を触知することが可能である。つまり、穿刺補助具２０を装着している指によって、皮下に位置する血管の位置を触知することも同時にできるため、作業性を向上させることが可能である。また、指サック２２に挿入した指によって、人体組織に直接接触することなく触診を実施することが可能である。
【００４３】
なお、血管の位置の触知は、例えば、血管が動脈である場合、脈拍を触診することによって実施される。また、指サック２２は、指に密着し、血管位置の触知（触診）を容易とするために薄手であることが好ましい。
【００４４】
押圧部２４は、指サック２２と別体であり、人体組織より硬い物性を有する材料から形成されるため、血管を容易かつ確実に固定することが可能である。また、部品点数を削減し、製造コストを低減する観点から、押圧部２４を構成する基部２６および突出部２８を、同一の材料から構成し、一体成形することが好ましい。なお、基部２６のサイズは、指サック２２の側面を介した血管触知に干渉しないよう、設定されている。
【００４５】
図１２および図１３は、図１０に示される穿刺補助具の使用態様の一例を説明するための平面図および正面図である。
【００４６】
まず、医療従事者は、穿刺補助具２０の指サック２２に左手の人差し指９２を挿入し、人差し指９２の腹部を、突出部１８と位置合せする。そして、指サック１２に挿入された人差し指９２を、患者の前腕８０の皮膚表面に置き、指サック２２の側面を、前腕８０の皮膚表面に接触させる。そして、指サック２２を介し、人差し指９２の側面部により、皮下に位置する血管８２の有無による差異を触知する。つまり、穿刺補助具２０を装着している指によって、血管触知を実施するため、作業性が向上する。
【００４７】
次に、医療従事者は、触知した血管８２の走行方向Ｄと、突起部材２８の延長方向Ｙとが一致し、かつ、突起部材２８の間に形成される隙間空間の中心が、触知した血管８２の真上になるように、人差し指９２の位置を調整する。
【００４８】
そして、この状態で、人差し指９２を回転し、穿刺補助具２０の突出部２８によって患者の前腕８０の皮膚表面を押圧する。これにより、皮下に位置する血管８２は、突出部２８によって挟持されることになるため、突出部２８の位置決めが容易である。
【００４９】
その後、医療従事者は、左手に注射器を把持し、注射器の注射針７０によって突起部材２８の近傍の皮膚表面を穿刺する。この際、血管８２は、突出部２８によって挟持されているため、血管走行方向Ｄに対し左右に血管が逃げることが確実に抑制される。また、突出部２８および基部は、人体組織より硬い物性を有する材料から形成されるため、血管８２は、容易かつ確実に固定される。
【００５０】
以上のように、実施の形態２においては、指サックが、針が穿刺される血管を触診可能な触診部を有するため、穿刺補助具を装着している指によって、皮下に位置する血管の位置を触知することも同時にできるため、作業性を向上させることが可能である。
【００５１】
また、触診部が、指サックによって構成されているため、穿刺補助具を装着している指によって、人体組織に直接接触することなく触診を実施することが可能である。一方、押圧部の突出部および基部は、人体組織より硬い物性を有する材料から形成されるため、血管を容易かつ確実に固定（保持）することが可能である。
【００５２】
なお、触診部は、指サックの全体が適用される形態に限定されず、例えば、指サックの一部のみ、針が穿刺される血管を触診可能とする柔軟な物性を有する材料から形成することにも可能である。
【００５３】
次に、実施の形態３を説明する。
【００５４】
図１４は、実施の形態３に係る穿刺補助具を説明するための側面図である。
【００５５】
実施の形態３は、触診部の形態に関し、実施の形態２と概して異なる。詳述すると、実施の形態３に係る穿刺補助具３０は、一体成形された指サック３２および押圧部３４からなり、指サック３２は、外周に設けられた開口部３９を有する。したがって、穿刺補助具を装着している指は、開口部３９を介して、皮膚表面と直接接触するため、皮下に位置する血管の位置を触知することが可能である。つまり、開口部３９は、針が穿刺される血管を触診可能な触診部を構成しており、指サック３２の構成が単純化されている。
【００５６】
また、開口部３９は、指サックの軸Ｘに関して押圧部３４と略９０度異なる位置に配置されることが好ましい。この場合、血管の位置の触知後、指サックを単に回転させることにより、穿刺補助具３０の押圧部３４によって血管が挟持されるため、作業性を向上させることが可能である。
【００５７】
以上のように、実施の形態３においては、触診部が指サックに形成される開口部によって構成されているため、実施の形態２に比較し、指サックの構成を簡略することが可能である。
【００５８】
本発明は、上述した実施の形態に限定されるものではなく、特許請求の範囲で種々改変することができる。例えば、実施の形態１に係る変形例１〜５を、実施の形態２および３に適用することも可能である。
【符号の説明】
【００５９】
１０  穿刺補助具、
１２  指サック、
１４  押圧部、
１６  基部、
１８  突起部材（突出部）、
１９  対向面、
２０  穿刺補助具、
２２  指サック（触診部）、
２４  押圧部、
２６  基部、
２８  突起部材（突出部）、
３０  穿刺補助具、
３２  指サック、
３４  押圧部、
３９  開口部（触診部）、
７０  注射針、
８０  前腕、
８２  血管、
９０  中指、
９２  人差し指、
Ｄ  血管走行方向、
Ｓ  隙間空間、
Ｘ  指サック軸、
Ｙ  突出部延長方向。
【図１】
2011156053.tif 000003
【図２】
2011156053.tif 000004
【図３】
2011156053.tif 000005
【図４】
2011156053.tif 000006
【図５】
2011156053.tif 000007
【図６】
2011156053.tif 000008
【図７】
2011156053.tif 000009
【図８】
2011156053.tif 000010
【図９】
2011156053.tif 000011
【図１０】
2011156053.tif 000012
【図１１】
2011156053.tif 000013
【図１２】
2011156053.tif 000014
【図１３】
2011156053.tif 000015
【図１４】
2011156053.tif 000016